(57)【要約】【課題】端子台の手前の空間を有効利用できるようにする。【解決手段】筺体１に収容された電力量計本体５と、該筺体１の一面の奥側の外縁に配置され、電力側および負荷側の電線Ｋが接続される端子台３０とを備えた電子式電力量計において、機器４０を収容する収容空間Ｓが複数の壁部３５ａ〜３５ｄによって形成されるカバー３５を、該収容空間Ｓが筺体１の一面側に位置するように、端子台３０の手前に取り付ける。【選択図】図１
2011242174.tif 000002
【特許請求の範囲】
【請求項１】
筺体（１）に収容された電力量計本体（５）と、該筺体（１）の一面の奥側に設けられ、電力側および負荷側の電線（Ｋ）が接続される端子台（３０）とを備えた電子式電力量計において、機器（４０）を収容する収容空間（Ｓ）が複数の壁部（３５ａ〜３５ｄ，３５０ｂ）によって内部に形成されるカバー（３５）を、該収容空間（Ｓ）が筺体（１）の前記一面側に位置するように、端子台（３０）の手前に取り付けることを特徴とする電子式電力量計。
【請求項２】
前記機器（４０）は、電力量計本体（５）との通信機能を有し、且つ、外部（４５）との通信機能を有する通信機器であることを特徴とする請求項１に記載の電子式電力量計。
【請求項３】
前記電力量計本体（５）および前記通信機器（４０）は、赤外線によって通信を行う赤外線通信部（１６，２３）を有しており、該赤外線通信部（１６，２３）は、前記収容空間（Ｓ）に通信機器（４０）を収容した前記カバー（３５）を端子台（３０）の手前に取り付けると、互いの赤外線通信部（１６，２３）が対向するように配置されることを特徴とする請求項２に記載の電子式電力量計。
【請求項４】
前記通信機器（４０）は、電力量計本体（５）および外部（４５）との通信状態を表示する動作表示部（４３）を備え、しかも、前記筺体（１）および前記カバー（３５）の少なくともいずれか一方に、通信機器（４０）の動作表示部（４３）を外部から確認できる透光部（４）が形成されることを特徴とする請求項２又は３に記載の電子式電力量計。
【請求項５】
前記通信機器（４０）は、端子台（３０）に接続される電力側の電線（Ｋ）と電気的に接続される電源供給アダプタ（５５）を備えることを特徴とする請求項２乃至４のいずれか１項に記載の電子式電力量計。
【請求項６】
前記カバー（３５）は、前記収容空間（Ｓ）を形成する壁部（３５ａ〜３５ｄ）の一部が、端子台（３０）に配列された各端子（３０ａ，…）の少なくとも前方を覆うことを特徴とする請求項１乃至５のいずれか１項に記載の電子式電力量計。
【請求項７】
前記筺体（１）と前記カバー（３５）とは、カバー（３５）の縁部（３５０）が筺体（１）の前記一面に設けられた縁部（１ｂ）の内側に入り込むよう、筺体（１）の下縁部（１ｂ）とカバー（３５）の縁部（３５０）が嵌合するように構成されることを特徴とする請求項１乃至６のいずれか１項に記載の電子式電力量計。
【発明の詳細な説明】
【技術分野】
【０００１】
本発明は、外部と送受信できるように構成される電子式電力量計に関する。
【背景技術】
【０００２】
近年、省エネルギー法等が改正されることにより、電力小売の自由化が行われ、需要家においては、単一の発電供給事業者における多様な電力供給の契約メニュー（料金メニュー等）の多様化や、複数の発電供給事業者間との計量（同時同量サービス）等に対応し得る多機能型の電子式電力量計が強く求められている。
【０００３】
例えば、電力量計により計測される電力を、所定の信号に変換して、中央装置との間で送受信する通信機能が付加された電子式電力量計が普及されている。この種の電子式電力量計としては、例えば、負荷の電力量を計測するとともに、表示する計測表示部と、該計測表示部から計測したデータを光通信によって受光し、受光したデータを所定の信号に変換して外部の中央装置と送受信を行う通信部とが、電力量計本体に設けられたものが公知になっている（特許文献１参照）。
【０００４】
該電子式電力量計によれば、外部の中央装置との送受信するための通信ケーブルが、端子台から電力量計本体内に挿通されて、通信部に接続されている。
【先行技術文献】
【特許文献】
【０００５】
【特許文献１】特開２００６−２０１０２８号公報
【発明の概要】
【発明が解決しようとする課題】
【０００６】
しかしながら、従来の前記電子式電力量計は、通信ケーブルを端子台に挿通して電力量計本体内の通信部に接続する必要があるため、その作業が煩雑である。また、通信ケーブルが切断された場合、電力量計本体と外部との通信が遮断されてしまうという問題がある。そこで、端子台の手前の空間に、例えば電力量計本体に電気的に接続された、通信機能を有する中継器を設けることが考えられるが、そのような記載はなく該空間を有効利用していない。
【０００７】
本発明は、上述した問題に鑑みてなされたものであり、端子台の手前の空間を有効利用するようにした電子式電力量計を提供することを目的とする。
【課題を解決するための手段】
【０００８】
本発明に係る電子式電力量計は、筺体１に収容された電力量計本体５と、該筺体１の一面の奥側に設けられ、電力側および負荷側の電線Ｋが接続される端子台３０とを備えた電子式電力量計において、機器４０を収容する収容空間Ｓが複数の壁部３５ａ〜３５ｄ，３５０ｂによって内部に形成されるカバー３５を、該収容空間Ｓが筺体１の前記一面側に位置するように、端子台３０の手前に取り付けることを特徴とする。
【０００９】
この場合、端子台３０の手前に、機器４０を収容できる収容空間Ｓを有するカバー３５を取り付けるようにしたので、端子台３０の手前の空間を有効利用できる。
【００１０】
また、本発明によれば、前記機器として、電力量計本体５との通信機能を有し、且つ、外部４５との通信機能を有する通信機器４０とするような構成を選択することもできる。
【００１１】
この場合、端子台３０の手前の空間に、電力量計本体５および外部４５との通信が行える通信機器４０を収容するようにしたので、従来のように、通信ケーブルを用いることなく、電力量計本体５および外部４５との通信が簡単に行えるようになる。
【００１２】
また、本発明によれば、前記電力量計本体５および前記通信機器４０に、赤外線によって通信を行う赤外線通信部１６，２３を設け、前記収容空間Ｓに通信機器４０を収容した前記カバー３５を端子台３０の手前に取り付けると、互いの赤外線通信部１６，２３が対向するように配置するような構成を選択することもできる。
【００１３】
この場合、電力量計本体５および通信機器４０において、互いの赤外線通信部１６，２３が対向するように、通信機器４０を収容空間Ｓに収容するようにしたので、赤外線による通信が確実に行われるようになる。
【００１４】
また、本発明によれば、前記通信機器４０に、電力量計本体５および外部４５との通信状態を表示する動作表示部４３を備えるとともに、前記筺体１および前記カバー３５の少なくともいずれか一方に、通信機器４０の動作表示部４３を外部から確認できる透光部４を形成するようにしてもよい。
【００１５】
この場合、通信機器４０が動作している状態を、筐体１の透光部４から確認できる。すなわち、電力量計本体５の表示値と同時に通信機器４０の動作も確認できるようになる。
【００１６】
また、本発明によれば、前記通信機器４０に、端子台３０に接続される電力側の電線Ｋと電気的に接続される電源供給アダプタ５５を備えるような構成を選択することもできる。
【００１７】
この場合、電源供給アダプタ５５によって、端子台３０に接続される電力側の電線Ｋから通信機器４０に電源を供給するようにしたので、通信機器４０に簡単かつ確実に電源を供給できるようになる。
【００１８】
また、本発明によれば、前記収容空間Ｓを形成するカバー３５の壁部３５ａ〜３５ｄの一部が、端子台３０に配列された各端子３０ａ，…の少なくとも前方を覆うような構成を採用することもできる。
【００１９】
この場合、端子台３０の各端子３０ａ，…の少なくとも前方をカバー３５の壁部３５ａ〜３５ｄの一部によって覆うようにしたので、各端子３０ａを、外部からの衝撃、塵埃、雨水から保護できるともに、絶縁保護することもできる。
【００２０】
また、本発明によれば、前記筺体１と前記カバー３５とは、カバー３５の縁部３５０が筺体１の前記一面に設けられた縁部１ｂの内側に入り込むよう、筺体１の下縁部１ｂとカバー３５の縁部３５０が嵌合するように構成するのが好ましい。
【００２１】
この場合、カバー３５の縁部３５０が筺体１の縁部１ｂの内面側に入り込むよう、カバー３５の縁部３５０と筺体１の縁部１ｂとが嵌合するので、筐体１の内部、すなわち電力量計本体５への雨水の浸入を防止することができる。つまり、防水機能付き電子式電力量計を提供することができる。
【発明の効果】
【００２２】
以上のように、本発明に係る電子式電力量計によれば、機器を収容する収容空間が内部に形成されるカバーを、筺体の一面の奥側に設けられる端子台の手前に取り付けて、該収容空間が筐体の一面側に位置するようにしたので、端子台の手前の空間を有効に利用できる。
【図面の簡単な説明】
【００２３】
【図１】（ａ）は、本発明の一実施形態に係る電子式電力量計の斜視図、（ｂ）は、電子式電力量計の正面図。
【図２】電子式電力量計の要部の側断面図。
【図３】端子台カバーと、端子台カバーの凹部に収容された中継器と、電源側の電線とリード線を電気的に接続する電源供給アダプタの斜視図。
【図４】（ａ）は、本発明の一実施形態に係る電子式電力量計の筺体の正面図、（ｂ）は、筺体の平面図。
【図５】（ａ）は、筺体の側面図、（ｂ）は、筺体の底面図。
【図６】筺体の切断側面図。
【図７】本発明の一実施形態に係る電子式電力量計のブロック図。
【図８】表示端末のブロック図。
【図９】（ａ）は、本発明の一実施形態に係る電子式電力量計の電源供給アダプタの正面図、（ｂ）は、図９（ａ）の背面図。
【図１０】（ａ）は図９（ａ）の平面図、（ｂ）は図９（ａ）の側面図。
【図１１】電源供給アダプタの概略断面図。
【図１２】（ａ）は、電源供給アダプタのアダプタ本体の正面図、（ｂ）は、背面図。
【図１３】（ａ）は、図１２（ａ）の平面図、（ｂ）は、図１２（ａ）の側面図。
【図１４】（ａ）は、本発明の一実施形態に係る電源供給アダプタの挿通ホルダの正面図、（ｂ）は、図１４（ａ）の背面図。
【図１５】（ａ）は、図１４（ａ）の平面図、（ｂ）は、図１４（ａ）の側面図。
【図１６】（ａ）〜（ｃ）は、電源供給アダプタに内挿される接触子の正面図、平面図、側面図。
【発明を実施するための形態】
【００２４】
以下、本発明に係る電子式電力量計の一実施形態について図１〜図１６を参照しながら説明する。該電子式電力量計は、図１〜図３に示すように、略直方体形状の透明樹脂製の筐体１と、該筺体１に収容された電力量計本体５と、筺体１の底面の奥側の外縁に垂設された端子台３０と、筺体１の底面および端子台３０を覆う端子台カバー３５と、端子台カバー３５の複数の壁部３５ａ〜３５ｄ，３５０ｂによって内部に形成される収容空間Ｓに収容された中継器４０と、外部に設けられ、電力量計本体５の送受信部とデータを送受信する表示端末（図７参照）４５とを備えている。
【００２５】
筺体１は、図１〜図６に示すように、筺体１の縦寸法よりも長い略矩形状の背板１ａに取り付けられ、背板１ａの下部が外部に臨出している。そして、筺体１の左右の両側部および上部中央にボルトＢが挿通されており、各ボルトＢ，…に対してドライバによる締結作業が行いやすいように、左右の両側部および上部中央に凹状の溝２，…が前側から後側に沿って形成されている。また、正面の上部に、計量値が表示される表示窓３が形成されるとともに、正面の下部に、後述する中継器４０の動作表示部４３を確認するための透光部４が形成されている。また、筺体１の下縁部１ａと、後述する端子台カバー３５の上縁部３５０とが嵌合するように構成されており、図２に示すように、カバー３５の上縁部３５０を、筺体１の下縁部１ｂの内面側において、該下縁部１ｂよりも上方に位置させる。これによって、電力量計本体５内部への浸水を防止している。
【００２６】
電力量計本体５は、図７に示すように、電圧および電流を計測する電圧・電流計測手段６と、該電圧値および電流値に基づく計量値、具体的には、現在計測されている現在計量値および所定の日時に確定される計量確定値を表示する表示部７と、該表示部７を制御して前記計量値を表示させるＣＰＵ（Central Processing Unit）（制御手段）８と、外部からの指令を前記ＣＰＵ８に供給する指令供給手段９とを備えている。なお、図７に示す電子式電力量計においては、電圧・電流計測手段６で計測された電圧値と電流値を演算して得られる電力値に比例した計量パルスに変換してＣＰＵ８に供給するＷ／Ｆコンバータ１０が設けられている。
【００２７】
電圧・電流計測手段６には、被電力計量回路（三相３線式配電線路）における１Ｓ、１Ｌ、および３Ｓ，３Ｌからの入力電流を微少電流に変換し、Ｗ／Ｆコンバータ１０に供給する一対の変流器６ａ，６ａと、被電力計量回路（三相３線式配電線路）におけるＰ１、Ｐ２、Ｐ３からの（実効）電圧へのサージ電圧等の侵入を阻止するノイズフィルタ６ｂと、該ノイズフィルタ６ｂを通過した入力電圧をＷ／Ｆコンバータ１０の演算動作に適した値に変換する降圧回路６ｃとが設けられている。該ノイズフィルタ６ｂには、入力電圧を降圧・整流してＣＰＵ８および各回路に供給する電源回路２１が接続されている。
【００２８】
Ｗ／Ｆコンバータ１０には、演算用の基準クロック信号を供給する水晶発信回路１０ｂと、演算用の基準電圧を供給する基準電圧回路１０ｃが接続されており、前記ＣＰＵ８には、演算および制御用の基準クロック信号を供給する水晶発信回路８ｂ、リセット回路８ｃ、および時間帯区分選択ジャンパー８ｄが接続されており、さらに、Ｗ／Ｆコンバータ１０から供給された計量パルスを外部に出力する計量パルス出力回路２２が接続されている。
【００２９】
Ｗ／Ｆコンバータ１０とＣＰＵ８とは、Ｗ／Ｆコンバータ１０で変換された計量パルスをＣＰＵ８に供給する信号線８ａと、ＣＰＵ８によりＷ／Ｆコンバータ１０を制御し、Ｗ／Ｆコンバータ１０から計量パルスを読み出す信号を供給する信号線１０ａとで接続されている。
【００３０】
表示部７は、計測情報を表示する液晶表示板１１と、該液晶表示板１１を駆動する液晶ドライバ１２とを有しており、該液晶ドライバ１２は、制御可能なようにＣＰＵ８に接続されている。
【００３１】
また、表示部７は、ＣＰＵ８により制御されることで、前記計量値、即ち、現在計量値および計量確定値を表示するように構成されている。詳しくは、前記現在計量値は、時間帯別電力量、時間帯区分、最大需要電力、現在需要電力、力測有効電力量、および力測無効電力量を含んでおり、計量確定値は、時間帯別電力量、時間帯区分、最大需要電力、累積最大需要電力、力測有効電力量、力測無効電力量、および力率を含んでいる。
【００３２】
指令供給手段９は、外部から送信された赤外線パルスを受信して受信データに復調してＣＰＵ８に供給する赤外線受光器９ａを有している。
【００３３】
そして、ＣＰＵ８には、電気的に書込みおよび書換えの可能なＥＥＰＲＯＭ（Electrically Erasable and Programmable Read Only Memory）（不揮発性メモリ）１５が接続されている。該ＥＥＰＲＯＭ１５は、ＣＰＵ８によって制御されることで、前記計量パルスに基づいてＣＰＵ８にて演算された前記計量値の保存および読み出しが可能な状態に制御されており、停電時および計量確定時に前記計量値を保存（サンプリング）している。
【００３４】
また、中継器４０は、外部から送信された赤外線パルスを受信するとともに、前記指令供給手段９の赤外線受光器９ａに赤外線パルスを送信するフォトトランジスタからなる赤外線ピックアップ１６を備えている。
【００３５】
また、電圧・電流計測手段６にて計測された電圧値および電流値に基づく計量値を外部に送信する送信部２０が設けられている。詳しくは、該送信部２０は、ＣＰＵ８に接続されており、送信するデータである現在計量値および計量確定値をＣＰＵ８を介してＥＥＰＲＯＭ１５から変調パルスとして受け取る論理回路部２０ａと、該変調パルスを赤外線パルスに変換して前記赤外線ピックアップ１６に送信する赤外線ＬＥＤ２０ｂとを有している。この赤外線ＬＥＤ２０ｂと赤外線ピックアップ１６とによっていわゆるフォトカプラが形成されており、電力量計本体５と赤外線ピックアップ１６とは、電流の変化によって信号を伝送する回路によって接続され、相互に通信可能な状態となっている。また、送信部２０と赤外線受光器９ａとで電力量計本体５の赤外線通信部２３が構成されている。
【００３６】
端子台３０は、図２および図４（ａ）に示すように、左右方向に配列された複数の端子３０ａを有しており、該各端子３０ａは、図２および図６に示すように、電力側および負荷側の電線Ｋが接続される上下方向に形成された接続孔３１と、該接続孔３１に対して直交方向に形成された上下一対のねじ孔３２と、該各ねじ孔３２に螺着されたボルト３３とを備えている。
【００３７】
端子台カバー３５は、図１（ａ）、（ｂ）〜図３に示すように、端子台３０の電線の接続孔３１を臨出させるための開口部３５０が奥側に形成された下面被覆部３５ａと、左右の両側に配置された略直角三角形状の側面被覆部３５ｂと、該各側面被覆部３５ｂの斜辺に跨って形成された略矩形状の前面被覆部３５ｃと、端子台３０の前方に、該端子台３０に平行して配置される矩形状の端子台用被覆部３５ｄとを備えている。そして、図２に示すように、側面被覆部３５ｂの短辺が端子台３０の手前に配置され、長辺が筺体１の底面の両側辺に沿うように配置される。また、前面被覆部３５ｃの長辺が筺体１の底面の前辺に沿うように配置される。そして、図３に示すように、端子台用被覆部３５ｄの端子台３０側の面には、該端子台３０の縦寸法および横寸法が同一のゴム板３６が固着されており、端子台３０の各端子３０ａに対して絶縁されるように構成されている。また、各側面被覆部３５ｂは、端子台３０側とは反対側の面の両側部から前方に延出される一対の支持片３５０ｂと、前面被覆部３５ｃとで、中継器４０を収容するための略三角柱状の収容空間Ｓを形成している。また、各側面被覆部３５ｂから側方に延出された、端子台３０に端子台カバー３５を取り付けるための取付部３５ｅを備えている。そして、下面被覆部３５ａには、後述するリード線Ｒが挿通される複数の孔３５ｆが形成されている。
【００３８】
中継器４０は、各支持片３５０ｂと、端子台用被覆部３５ｄと、前面被覆部３５ｃとで形成される矩形状の開口部よりもやや小さい縦寸法及び横寸法を有しており、筐体１の底面に対して面一で、収容空間Ｓにきっちりと収容される。また、中継器４０は、電力量計本体５の赤外線通信部２３からの赤外線パルスを送受信する赤外線通信部としての赤外線ピックアップ１６と、赤外線パルスに対応するデータを無線に変換するデータ変換部と、アンテナ４２を介して表示端末４５と送受信する外部通信部と、赤外線ピックアップ１６および外部通信部の各動作を表示する動作表示部４３とを備えている。
【００３９】
表示端末４５は、電力量計本体５と離隔して設けられ、前記送信部２０から送信された前記計量値を受信して電力の使用状況に関する情報に変換し、しかも、該情報を表示し得るように構成されている。該表示端末４５のブロック図は、図８に示すように、電力の使用状況に関する情報を表示する表示部４６と、上述した中継器４０から微弱無線で送信された計量値を受信するとともに、中継器４０に指令を微弱無線で送信する送受信部４７と、電力量計本体５や表示端末４５自体を操作するための指令や各種データを手動で入力する操作入力部４８と、前記送受信部４７で受信した計量値に関するデータ（以下、計測データという。）を記憶する情報記憶部（メモリ）４９と、該情報記憶部４９から計測データを取り出し、該計測データを電力の使用状況に関する情報に演算、変換して表示部４６に表示させるととともに、前記送受信部４７および操作入力部４８を制御する情報制御部５０と、前記表示部４６、受信部４７、情報制御部５０、操作入力部４８、および情報記憶部４９に駆動電力を供給する電源部５１とを備えている。
【００４０】
また、表示端末４５は、前記電力量計本体５から所定時間間隔にてＥＥＰＲＯＭ１５内の前記計量値が送信されている。詳しくは、ＣＰＵ８によりＥＥＰＲＯＭ１５が制御され、停電時および計量確定時にＥＥＰＲＯＭ１５に保存されていた現在計量値および計量確定値が所定時間間隔でＣＰＵ８を介して送信部２０に変調パルスで送信されている。そして、送信部２０の論理回路部２０ａで前記変調パルスが赤外線パルスに変換されて赤外線ＬＥＤ２０ｂから前記赤外線ピックアップ１６に送信されている。
【００４１】
ここで、電力側の電線Ｋと中継器４０を電気的に接続するための電源供給アダプタについて、図１（ａ）、（ｂ）〜図３および図９（ａ）、（ｂ）〜図１６（ａ）〜（ｃ）を参照して説明する。該電源供給アダプタ５５は、電源側の電線Ｋとリード線Ｒとを電気的に接続するアダプタ本体６０と、電力側の電線Ｋおよびリード線Ｒを挿通支持する挿通ホルダ７０とを備えている。
【００４２】
アダプタ本体６０は、図１２（ａ）、（ｂ）および図１３（ａ）、（ｂ）に示すように、略直方体形状の基体６１と、該基体６１の両側に形成された挿通孔６２，６２と、基体６１の一面において、挿通孔６２，６２に連通するように形成された、挿通孔６２，６２よりも開口面積が大きい四角形状の開口部６３，６３と、挿通孔６２，６２の上側と左右の両側を囲むように配置された後述する接触子８０の位置決め部６４，…と、該位置決め部６４，…の周囲に形成された、後述する挿通ホルダ７０の第１位置決め部７６が挿入される第１挿入溝６５と、バネ８５の挿入凹部６６と、後述する挿通ホルダ７０の係止片７５が係合する係合溝６７と、基体６１の他面において、挿通孔６２，６２の周縁部に沿って形成された環状の保持部６８，６８と、皿ネジの頭部が挿入される皿孔６９とを備えている。
【００４３】
挿通ホルダ７０は、図１４（ａ）、（ｂ）および図１５（ａ）、（ｂ）に示すように、平面視略矩形状の基板７１と、該基板７１の一面に対して直交する方向に突設された、電力側の電線Ｋが挿通される一対の筒状の挿通部７２，７２と、各挿通部７２，７２の間に形成された一対の挿通孔７３，７３と、基板７１の他面に対して直交する方向に、かつ、各挿通部７２，７２の間（基板７１の中央部）に突設された雌ねじ７４と、該雌ねじ７４の上方および下方に、雌ねじ７３に平行するように配置された一対の係止片７５，７５と、基板７１の両側に配置された一対のＬ字形状の第１位置決め部７６，７６と、所定の間隔をおいて突設された第２位置決め部７７，７７とを備えている。そして、図１５（ａ）、（ｂ）に示すように、挿通部７２，７２の上側の周面が円弧状に切欠され、該切欠部７８，７８から電力側の電線Ｋの被覆部が外部に臨出するようになっている。
【００４４】
接触子８０は、電力側の電線Ｋの電気的接続と、該電力側の電線Ｋから中継器４０に電源を供給するためのリード線Ｒとの電気的接続がなされている。具体的に言うと、図１６（ａ）〜（ｃ）に示すように、アダプタ本体６０の各開口部６３，６３に配置され、電線Ｋの挿通孔６２，６２の直径と略同一になるように、両側部が直角に折り曲げられた接触子本体８０ａと、接触子本体８０ａの両側部から外側に向かうにしたがって大きく開口した一対の第１接触部８１，８１と、斜め上方に折り曲げられた、電線Ｋの挿通孔６２，６２の直径よりもやや小さい幅寸法の第２接触部８２とを備えている。そして、各接触子８０，８０がアダプタ本体６０の各位置決め部６４，６４に内挿された場合、図１１に示すように、各接触子８０，８０の第２接触部８２がバネ８５に付勢され、対向する第１接触部８１，８１に、中継器４０に電源を供給するためのリード線Ｒが半田付けされる。
【００４５】
そして、電源側の電線Ｋの絶縁被覆を剥離して、芯線ｋを露出させる。この芯線ｋが挿通孔に挿通されるにしたがって、接触子８０がバネ８５の付勢に抗して押し上げられるとともに、芯線ｋに圧接するようになる。すなわち電源側の電線Ｋと接触子８０とが電気的に接続されるようになる。また、接触子８０に半田付けされたリード線Ｒも、電源側の電線Ｋと電気的に接続されるようになる。つまり、リード線Ｒを介して中継器４０に電源が供給されるようになる。そして、芯線ｋが電源供給アダプタ５５の挿通孔から挿通された状態で、電線Ｋの絶縁被覆を挿通部の切欠部７８に巻回されたインシュロックバンド（図示せず）によって、電線Ｋを電源供給アダプタ５５に固定する。この状態で、端子台３０の各端子３０ａの接続孔３１に挿入するとともに、各端子３０ａのボルトを締め付ける。
【００４６】
つぎに本実施形態に係る電子式電力量計の動作について説明する。電力量計本体５のＷ／Ｆコンバータ１０では、電圧・電流計測手段６で計測された電圧値と電流値を演算して得られた電力量に比例した計量パルスに変換され、該計量パルスが信号線８ａを通ってＣＰＵ８に供給されている。該ＣＰＵ８は、内部に格納されているプログラムに従い、前記計量パルスを計量パルス出力回路２２に供給し、該計量パルス出力回路２２を制御して外部に出力させる一方、前記表示部７の液晶ドライバ１２を制御し、液晶表示板１１を駆動させて前記計量パルスに基づく計測情報を表示させている。
【００４７】
この状態で、前記表示端末４５には、前記電力量計本体５から所定時間間隔にてＥＥＰＲＯＭ１５内の前記計量値が送信されている。詳しくは、ＣＰＵ８によりＥＥＰＲＯＭ１５が制御され、停電時および計量確定時にＥＥＰＲＯＭ１５に保存されていた現在計量値および計量確定値が所定時間間隔でＣＰＵ８を介して赤外線送信部２０に変調パルスで送信されている。そして、赤外線送信部２０の論理回路２０ａで前記変調パルスが赤外線パルスに変換されて赤外線ＬＥＤ２０ｂから中継器４０の赤外線ピックアップ１６に送信されている。次いで、赤外線ピックアップ１６に送られた赤外線パルスは、微弱無線に変換されて表示端末４５に送信されている。
【００４８】
そして、表示端末４５の送受信部４７で前記微弱無線が受信され、現在計量値および計量確定値に対応する計測データが情報記憶部４９に記憶される。そして、該情報記憶部４９に記憶された計測データは、所定時間間隔で情報制御部５０に送られ、該情報制御部５０において電力の使用状況に関する情報に演算、変換されて表示部４６に表示される。具体的には、計測データが所定期間内の時間推移でグラフ化されたり、計測データに基づいて、前日と今日、前月と今月、前年と今年の使用電力量や電気料金との比が演算されたりして、省エネルギー法で求められている、電気エネルギーの使用状況の管理に有用な情報（例えば、最大電力の目標値との比較、使用電力量のＣＯ２（二酸化炭素）排出量への換算）に加工され、表示部４６に表示される。
【００４９】
以上説明したように、本実施形態の電子式電力量計によれば、計量値を受信して電力の使用状況に関する情報に変換するように構成されているので、需要家においては、現在の電力の使用状況や過去の使用実績の把握が容易となり、多様な契約メニューに対応することができるようになる。しかも、電力の使用状況に関する情報が、電力量計本体５と離隔して設けられた表示端末４５に受信されて変換され、且つ、表示されるので、情報収集が容易に行えるとともに、収集された情報も正確なものとなる。
【００５０】
また、本実施形態に係る電子式電力量計は、電力量計本体５のＥＥＰＲＯＭ（不揮発性メモリ）１５に計量値が記憶され、不揮発性メモリ１５内の計量値が所定時間間隔にて電力量計本体５と離隔した表示端末４５に送信されるように構成されているので、電力量計本体５から自動的に、しかも、遠隔操作により計量値を表示端末４５に収集することができるようになる。
【００５１】
また、本実施形態に係る電子式電力量計は、表示端末４５が、受信した計量値を記憶する情報記憶部４９を有し、且つ記憶された計量値を電力の使用状況に関する情報に変換し得るように構成されているので、必要な時に必要に応じて電力の使用状況に関する情報を表示端末４５に表示させることができるようになる。
【００５２】
また、本実施形態に係る電子式電力量計は、電力量計本体５の赤外線送信部２０から赤外線で送信した計量値を、端子台カバー３５の内部に収容された中継器４０で無線に変換するようにしているので、電力量計本体５が交換された場合、これに伴って安価な赤外線ＬＥＤ（赤外送信器）２０ｂが交換されるものの、高価な無線通信手段、すなわち中継器４０を交換する必要がなく、その分、コストを低減できる。
【００５３】
また、本実施形態に係る電子式電力量計は、電力量計本体５を交換した場合、該電力量計本体５の赤外線送信部２０から赤外線パルスを中継器４０に送信するだけで、電力量計本体５からの計量値を表示端末４５に送信することができるように構成されている。
【００５４】
また、中継器４０が無線通信手段であることから、中継器４０と電力量計本体５との配線工事が不要になり、その分、コストを低減できる。
【００５５】
また、前記実施形態の場合、中継器４０の無線通信方式については限定していないが、例えば、一方向性の無線通信方式（所謂ラジオ無線通信方式）、携帯電話網やＰＨＳ通信などの双方向性の無線通信方式があり、これらの無線通信方式に対応した中継器を作製しておくことが好ましい。この場合、無線通信方式に対応した中継器４０をセットするだけで、電力量計本体５から表示端末４５に計量値を送信することができる。上述した無線通信方式は、需要家の立地条件や表示端末の受信性能に応じて異なるものである。
【００５６】
また、表示端末４５が不要な場合は、端子台カバー３５に収容された中継器４０を取り出して、電力量計本体５のみで、計量値を表示すればよい。
【００５７】
なお、本発明は、前記実施形態に限定されず、本発明が意図する範囲で、種々の形態の実施が可能である。
【００５８】
前記実施形態の場合、筐体１の下面の奥側の外縁に端子台３０を配置するようにしたが、例えば左右の両側面の奥側の外縁いずれかであってもよい。
【００５９】
また、前記実施形態の場合、筐体１の下縁部１ｂに、中継器４０の動作表示部４３を確認できる透光部４を形成するようにしたが、端子台カバー３５の上縁部３５０に形成するようにしてもよく、両方に形成するようにしてもよい。
【００６０】
また、前記実施形態の場合、端子台３０の外側の全体を覆うようにしたが、前方だけ覆うようにしてもよい。
【００６１】
また、前記実施形態の場合、中継器４０に電力を供給する手段として、電源側の電線Ｋに電気的に接続される電源供給アダプタ５５を使用するようにしたが、誘導起電力によって電源を供給するようにしてもよい。
【００６２】
また、前記実施形態の場合、表示端末４５を、電力量計本体５から所定時間間隔にてＥＥＰＲＯＭ１５内の計量値を送信するように構成したが、本発明の電子式電力量計はこれに限定されず、表示端末４５を操作することでＥＥＰＲＯＭ１５内の前記計量値の表示端末４５への送信が行われるように構成してもよい。
【００６３】
具体的には、表示端末４５の操作入力部４８に電力量計本体５から計量値に対応する赤外線パルスを発信させるための指令を入力すると、該指令は、送受信部４７を経由して中継器４０に微弱無線で送信され、中継器４０から赤外線ピックアップ１６に送られ、前記指令に対応した赤外線パルスが指令供給手段９で受信される。そして、該指令に基づいてＣＰＵ８が操作され、停電時および計量確定時にＥＥＰＲＯＭ１５に保存されていた現在計量値および計量確定値が所定時間間隔でＣＰＵ８を介して赤外線送信部２０に変調パルスで送信される。次に、赤外線送信部２０の論理回路部２０ａで前記変調パルスが赤外線パルスに変換されて赤外線ＬＥＤ２０ｂから前記赤外線ピックアップ１６に送信され、赤外線ピックアップ１６から中継器４０に送られた赤外線パルスは、該中継器４０で微弱無線に変換されて表示端末４５に送信される。そして、上記実施形態と同様に、表示端末４５の情報制御部５０にて、電力の使用状況に関する情報に変換され、即ち、電気エネルギーの使用状況の管理に有用な情報に加工され、表示部４６に表示されるようになる。
【００６４】
また、上記実施形態の電子式電力量計では、表示端末４５と中継器４０とを無線で相互に通信させるようにしたが、導電線を用いて通信させることも可能である。
【符号の説明】
【００６５】
１…筺体、１ｂ…下縁部、４…透光部、５…電力量計本体、１６，２３…赤外線通信部、３０…端子台、３０ａ…端子、３５…端子台カバー、３５ａ〜３５ｄ…壁部、４０…機器（中継器）、４３…動作表示部、４６…外部（表示端末）、５５…電源供給アダプタ、３５０…上縁部、Ｋ…電線、Ｓ…収容空間、
【図１】
2011242174.tif 000003
【図２】
2011242174.tif 000004
【図３】
2011242174.tif 000005
【図４】
2011242174.tif 000006
【図５】
2011242174.tif 000007
【図６】
2011242174.tif 000008
【図７】
2011242174.tif 000009
【図８】
2011242174.tif 000010
【図９】
2011242174.tif 000011
【図１０】
2011242174.tif 000012
【図１１】
2011242174.tif 000013
【図１２】
2011242174.tif 000014
【図１３】
2011242174.tif 000015
【図１４】
2011242174.tif 000016
【図１５】
2011242174.tif 000017
【図１６】
2011242174.tif 000018